(57)【要約】【課題】消臭性能に優れたペット用トイレシートを提供すること。【解決手段】ペット用トイレシート１は、液透過性の表面シート２、液不透過性の裏面シート３、及び両シート２，３間に配された吸収性コア６を具備する。吸収性コア６と表面シート２との間に消臭成分を含有する液透過性シート７が配されている。トイレシート１を平面視したとき、トイレシート１の中央域よりも外周域の方が消臭成分の坪量が高くなっている。消臭成分が、殺菌剤、吸着剤及び中和剤のうちの少なくとも１種からなることが好適である。【選択図】図２
2018099046.tif 000002
【特許請求の範囲】
【請求項１】
液透過性の表面シート、液不透過性の裏面シート、及び両シート間に配された吸収性コアを具備するペット用トイレシートであって、
前記吸収性コアと前記表面シートとの間に消臭成分を含有する液透過性シートが配されており、
前記トイレシートを平面視したとき、該トイレシートの中央域よりも外周域の方が前記消臭成分の坪量が高くなっている、ペット用トイレシート。
【請求項２】
前記消臭成分が、殺菌剤、吸着剤及び中和剤のうちの少なくとも１種からなる請求項１に記載のペット用トイレシート。
【請求項３】
前記吸収性コアが吸水性樹脂を含有し、
前記吸水性樹脂はＪＩＳ  Ｋ７２２４に規定されるボルテックス法に従い測定された吸収速度が４０秒以上である請求項１又は２に記載のペット用トイレシート。
【請求項４】
前記吸収性コアは、前記裏面シートとの対向面側にパルプのみからなる層を備えるとともに、前記表面シートとの対向面側に吸水性樹脂を含む層を備える請求項１ないし３のいずれか一項に記載のペット用トイレシート。
【請求項５】
前記吸収性コアは、前記裏面シートとの対向面側にパルプのみからなる層を備えるとともに、前記表面シートとの対向面側にもパルプのみからなる層を備え、更にこれら２つのパルプのみからなる層の間に吸水性樹脂を含む層を備える請求項１ないし３のいずれか一項に記載のペット用トイレシート。
【請求項６】
前記吸収性コアと前記裏面シートとの間にも消臭成分を含有する液透過性シートが更に配されている請求項１ないし５のいずれか一項に記載のペット用トイレシート。
【請求項７】
トイレ本体、及び該トイレ本体内を上層部分と下層部分とに区画する仕切部材を備え、該下層部分に請求項１ないし６のいずれか一項に記載のペット用トイレシートを配置してなるペット用トイレ。
【発明の詳細な説明】
【技術分野】
【０００１】
本発明は、ペット用トイレシート及びそれを備えたペット用トイレに関する。
【背景技術】
【０００２】
ペット用トイレシートとして、液透過性の表面シート、液不透過性の裏面シート及び両シート間に配された吸収体を具備するものが知られている。また、ペットの排泄物から生じる悪臭に対し、消臭、芳香、殺菌等の対策を施したペット用トイレシートも知られている。
【０００３】
例えば特許文献１には、前記ペット用トイレシートと同様の構成のペット用排泄物吸収シートにおいて、その表面シートに、香料成分（例えばゲラニオール等のアルコール類）、消臭成分（例えばカテキン）、殺菌成分（例えばベンザルコニウム塩）の少なくとも１つの成分を含む薬液を付着させたものが記載されている。
【先行技術文献】
【特許文献】
【０００４】
【特許文献１】特開２００６−２３８７４５号公報
【発明の概要】
【発明が解決しようとする課題】
【０００５】
特許文献１に記載のペット用排泄物吸収シートの如き、香料成分を含有する従来のペット用排泄物吸収シートは、排泄物に起因する悪臭を、該香料成分に由来する香気によってマスキングすることを目的とするものであり、通常、ペットの排泄行為の有無にかかわらず、常時香気を放っている。そのため、広い室内空間を香気によってマスキングするためにはペット用トイレシートに強い臭い付けをしなくてはならない。その場合には、香気が室内に充満し過ぎるなど、生活環境に影響を及ぼすことがある。また、ペット用トイレシートから放出される香気と、ペットの飼い主の好みとの相性は個人差が大きく、万人に受け入れられるためには種々の香気を放つペット用トイレシートを数多く品揃えしなければならない。また、特許文献１に記載のペット用排泄物吸収シートの上に直接ペットが乗って排泄動作をすると、消臭成分がペットへと移行してしまい、消臭性能が発揮されなくなることもある。更に消臭成分、殺菌成分、香料など複数の成分をトイレシートに均一に配合した場合、その成分ごとの吸収体への移行量が異なる可能性が高く、シート全体における消臭効果が発揮されにくい。
【０００６】
したがって本発明の課題は、消臭性能に優れたペット用トイレシートを提供することにある。
【課題を解決するための手段】
【０００７】
本発明は、液透過性の表面シート、液不透過性の裏面シート、及び両シート間に配された吸収性コアを具備するペット用トイレシートであって、前記吸収性コアと前記表面シートとの間に消臭成分を含有する液透過性シートが配されており、前記トイレシートを平面視したとき、該トイレシートの中央域よりも外周域の方が前記消臭成分の坪量が高くなっている、ペット用トイレシートを提供することによって前記の課題を解決したものである。
【発明の効果】
【０００８】
本発明のペット用トイレシートは、室内というオープンな空間で使用しても、良好な消臭性能を有する。
【図面の簡単な説明】
【０００９】
【図１】図１は、本発明のペット用トイレシートの一実施形態を表す平面図である。
【図２】図２は、図１におけるII−II線断面図である。
【図３】図３は、本発明のペット用トイレシートの別の実施形態を表す厚み方向断面図（図２相当図）である。
【図４】図４は、本発明のペット用トイレシートを備えたペット用トイレの一実施形態を表す分解斜視図である。
【発明を実施するための形態】
【００１０】
以下本発明を、その好ましい実施形態に基づき図面を参照しながら説明する本実施形態のペット用トイレシート１は、図１及び図２に示すとおり、液透過性の表面シート２、液不透過性の裏面シート３及び両シート２，３間に配された吸収体４を具備している。
【００１１】
ペット用トイレシート１の形状及び寸法は特に制限されるものではないが、本実施形態のペット用トイレシート１は、図１に示すとおり長方形形状を有しており、その長手方向Ｘ（図１の上下方向）の長さは例えば３０ｃｍ以上９６ｃｍ以下とすることができ、幅方向Ｙ（図１の左右方向）の長さは例えば２０ｃｍ以上６６ｃｍ以下とすることができる。また、本実施形態のペット用トイレシート１は、厚みの薄いシート状をなしており、その厚みは、例えば２ｍｍ以上１２ｍｍ以下である。
【００１２】
図１及び図２に示すとおり、表面シート２及び裏面シート３は、それぞれ、吸収体４の周縁から外方に延出し、それらの延出部において接着剤、熱融着等の公知の接合手段により接合されている。それによって、ペット用トイレシート１においては、吸収体４を包囲する周縁接合部５が形成されている。
【００１３】
吸収体４は、図１に示す如き平面視において長方形形状を有しており、その長手方向をペット用トイレシート１の長手方向Ｘに一致させて、表面シート２と裏面シート３との間に介在配置されている。吸収体４の長手方向（図１の上下方向）の長さは例えば２８ｃｍ以上９０ｃｍ以下とすることができ、幅方向（図１の左右方向）の長さは例えば１８ｃｍ以上６６ｃｍ以下とすることができる。
【００１４】
表面シート２及び裏面シート３としては、それぞれ、この種のトイレシートあるいは使い捨ておむつ等の吸収性物品において、液透過性の表面シート及び液不透過性の裏面シートとして用いられているものを特に制限なく用いることができる。表面シート２としては、例えば、親水化処理が施された各種不織布や開孔フィルム等を用いることができる。裏面シート３としては、例えば、樹脂製フィルム、撥水不織布等の不織布、これらと他のシートとのラミネート体等を用いることができる。
【００１５】
吸収体４は吸収性コア６を備えている。吸収性コア６は、その上面の全域が第１被覆シート７によって被覆されている。また、吸収性コア６は、その下面の全域が第２被覆シート８によって被覆されている。第２被覆シート８は、吸収性コア６の側縁を超えて側方に延出している。その延出した部位は、吸収性コア６の上面側に折り返されており、吸収性コア６の上面における両側部域を被覆している。以下の説明においては、第２被覆シート８のうち、吸収性コア６の上面における両側部域を被覆している部位を、折り返し被覆部８ａと呼ぶ。このように、吸収性コア６は、その上面の全域、下面の全域及び側面の全域が、２枚の被覆シート７，８によって被覆されている。これによって吸収体４が形成されている。
【００１６】
吸収性コア６は、吸収体４における主たる吸液部位であり、尿等の液体を吸収して保持する機能を有する。吸収性コア６は、尿等の排泄物を吸収保持し得る材料を含んで構成されている。そのような材料としては、例えば、木材パルプや親水化処理された合成繊維等の親水性繊維を用いることができる。これに代えて、又はこれに加えて、吸水性樹脂等を用いることもできる。
【００１７】
吸水性樹脂は、水との接触によって膨潤して水を吸収保持し得る材料からなる。吸水性樹脂は、自重の２０質量倍以上の水、特に尿を吸収して保持できるものであることが好ましい。吸水性樹脂としては、各種のヒドロゲル材料、例えばアクリル酸若しくはアクリル酸アルカリ金属塩の重合体又は共重合体の架橋物、ポリアクリル酸及びその塩並びにポリアクリル酸塩グラフト重合体の架橋物、デンプン又はカルボキシメチル化セルロースの架橋物、デンプン-アクリル酸塩グラフト共重合体の加水分解生成物の架橋物、ビニルアルコール-アクリル酸塩共重合体の架橋物、無水マレイン酸グラフトポリビニルアルコールの架橋物、架橋イソブチレン−無水マレイン酸共重合体、酢酸ビニル−アクリル酸エステル共重合体のケン化物等を用いることができる。これらの吸水性樹脂は１種を単独で又は２種以上を組み合わせて用いることができる。吸水性樹脂は、一般に粒子状のものが用いられるが、繊維状のものでもよい。粒子状の吸水性樹脂を用いる場合、その形状は球状、塊状、俵状又は不定形のいずれでもよい。
【００１８】
吸収性コア６を被覆する第１及び第２被覆シート７，８はいずれも液透過性シートからなる。液透過性シートとしては、例えばティッシュペーパー等の紙や各種不織布、開孔フィルム等を用いることができる。第１及び第２被覆シート７，８は同種の液透過性シートから構成されていてもよく、あるいは異種の液透過性シートから構成されていてもよい。
【００１９】
第１及び第２被覆シート７，８がどのような液透過性シートから構成されている場合であっても、第１及び第２被覆シート７，８は消臭成分を含有している。したがってペット用トイレシート１は、吸収性コア６と表面シート２との間に消臭成分を含有する液透過性シート（第１被覆シート７）が配されており、且つ吸収性コア６と裏面シート３との間にも消臭成分を含有する液透過性シート（第２被覆シート８）が更に配されている構造になっている。消臭成分は、これを第１及び第２被覆シート７，８の平面方向の全域に満遍なく含有させることができる。あるいは消臭成分は、これを第１及び第２被覆シート７，８の平面方向の全域に間欠的に含有させることもできる。平面方向における消臭成分の分布がいかなる状態であっても、巨視的には、消臭成分は、第１及び第２被覆シート７，８の平面方向において均一に分布していることが好ましい。
【００２０】
第１被覆シート７に含有されている消臭成分と、第２被覆シート８に含有されている消臭成分とは同種のものであってもよく、あるいは異種のものであってもよい。第１及び第２被覆シート７，８に含有されている消臭成分の種類によらず、第１及び第２被覆シート７，８に含有されている消臭成分の坪量は、同じであってもよく、あるいは異なっていてもよい。
【００２１】
第１及び第２被覆シート７，８に含有されている消臭成分は、ペット用トイレシート１の主たる吸収・保持対象である尿から生じる臭いを知覚させづらくする物質を広く包含する。例えば、ペット用トイレシート１に吸収・保持された尿が細菌によって分解されて臭いが生じる場合があるところ、そのような分解を抑制する目的で、殺菌剤を消臭成分として用いることができる。また、尿に起因して生じる臭いを吸着して除去する目的で、吸着剤を消臭成分として用いることができる。更に、尿臭の原因物質のｐＨが酸性であることを利用して、該原因物質の中和によって尿臭を除去する中和剤を消臭成分として用いることができる。
【００２２】
殺菌剤としては水溶性のものが好ましい。殺菌剤の例としては、例えば３，４，４−トリクロロカルバニリド、レゾルシン、フェノール、ヘキサクロロフェン、トリクロサン及びイソプロピルメチルフェノール等のノニオン系殺菌剤；ソルビン酸及びサリチル酸等のアニオン系殺菌剤；並びにセチルリン酸化ベンザルコニウム（商品名サニゾールＰ）、塩化ベンザルコニウム、塩化ベンゼトニウム、塩化アルキルトリメチルアンモニウム及びジンクピリチオン等のカチオン系殺菌剤が挙げられる。これらの殺菌剤は１種を単独で、又は２種以上を組み合わせて用いることができる。これらの殺菌剤は、排尿時に尿と一緒に被覆シートから流れ出し、吸収体へ移行するように被覆シートに配されることが好ましい。
【００２３】
吸着剤としては、例えば酸化亜鉛などが挙げられる。また、ミズカナイト（水澤化学工業株式会社製）やゼオミックス（株式会社シナネンゼオミックス）などの市販品を用いることもできる。これらの吸着剤は１種を単独で、又は２種以上を組み合わせて用いることができる。吸着剤は被覆シートに対して固定されており、排尿後にも被覆シートに残るように配されていることが好ましい。
【００２４】
中和剤としては、例えばトリスヒドロキシメチルアミノメタン、ジエタノールアミン及びトリエタノールアミンなどのアミン類、リン酸水素二ナトリウム等のリン酸塩などを用いることができる。これらの塩基成分はそれぞれ単独で用いることもでき、あるいは２種以上を組み合わせて用いることもできる。これらの塩基成分のうち、特にトリスヒドロキシメチルアミノメタンを用いることが、緩衝能の有効範囲や使用する動物への安全性が比較的高く無臭である点から好ましい。中和剤は水溶性であって、排尿によって被覆シートから流れ出し、吸収体へ移行するように配されていることが好ましい。
【００２５】
中和剤を用いる場合には、該中和剤に加えて酸を併用することが、該中和剤と該酸との緩衝系によるｐＨの調整及びその安定化が図れる点から好ましい。緩衝系を構成する酸としては、例えば塩酸やクエン酸などを用いることができる。特に、塩基成分として上述したトリスヒドロキシメチルアミノメタンを用いる場合には、酸としてクエン酸を用いることが、緩衝能の発現やｐＨ調整能の点から好ましい。
【００２６】
第１及び第２被覆シート７，８に含有される消臭成分としては、上述した殺菌剤、吸着剤及び中和剤のうちの少なくとも１種を用いる。長期間にわたる消臭作用が効果的に持続する観点から、これら３種類のうちの少なくとも２種の組み合わせを用いることが更に好ましく、これら３種類をすべて組み合わせて用いることが一層好ましい。これら３種類すべてを被覆シートに含む場合には、排尿後には被覆シートに少なくとも一部の吸着剤が残存し、殺菌剤と中和剤それぞれの一部が吸収体へと移行するようにしておけば、吸収体内において尿自体の臭いを抑制するとともに、尿中の臭い原因物質を吸収体より上部にある被覆シートで捕捉することができるので、高い消臭性能を長期にわたって発揮することができる。具体的には、水溶性の殺菌剤と中和剤及び固定された吸着剤を含むシートを被覆シートとして用いることが好ましい。
【００２７】
上述した消臭成分のうちのいずれを用いるかにかかわらず、第１及び第２被覆シート７，８に含有される消臭成分の坪量はそれぞれ、消臭成分の総量で表して、０．１ｇ／ｍ２以上であることが好ましく、０．２ｇ／ｍ２以上であることが更に好ましく、０．４ｇ／ｍ２以上であることが一層好ましい。また、１０．０ｇ／ｍ２以下であることが好ましく、５．０ｇ／ｍ２以下であることが更に好ましく、３．０ｇ／ｍ２以下であることが一層好ましい。具体的には、第１及び第２被覆シート７，８に含有される消臭成分の量はそれぞれ、消臭成分の総量で表して、０．１ｇ／ｍ２以上１０．０ｇ／ｍ２以下であることが好ましく、０．２ｇ／ｍ２以上５．０ｇ／ｍ２以下であることが更に好ましく、０．４ｇ／ｍ２以上５．０ｇ／ｍ２以下であることが一層好ましい。
【００２８】
本実施形態のペット用トイレシート１は、これを平面視したとき、該トイレシート１の中央域と、該中央域よりも外側に位置する外周域とで消臭成分の坪量を比較した場合、両領域で消臭成分の坪量が相違している。具体的には、ペット用トイレシート１の中央域よりも外周域の方が消臭成分の坪量が高くなっている。消臭成分の坪量を、中央域よりも外周域を高くすることには以下に述べる利点がある。すなわち、ペットとして飼育する動物、例えば犬や猫、特に猫は、頭をトイレシート１の中央に向け、トイレシート１の端の位置に排尿する習性がある。したがって、トイレシート１の中央域よりも外周域に相対的に多量の消臭成分を存在させることで、尿臭を効率的に消臭することができる。また、本実施形態のペット用トイレシート１では、消臭成分を表面シート２と吸収性コア６との間に配置しているため、ペットがシートの上に載って排泄する場合、その排泄動作によっても消臭成分がペットへと移行しにくいことから、消臭性能が維持されるとともに、ペットにとっても安全である。
【００２９】
以上のとおり、本実施形態のペット用トイレシート１によれば、消臭成分の使用によって十分な消臭効果が発揮されるので、香料による尿臭のマスキングは必須のものではない。したがって本実施形態のペット用トイレシート１には、香料の嗜好性を考慮する必要がないという利点がある。また、トイレシート１に強い臭い付けをする必要もないという利点がある。したがって本実施形態のペット用トイレシート１は、室内等のオープンな空間で使用しても、生活環境への匂いによる影響を極力排除できる。なお、本実施形態のペット用トイレシート１は、香料を用いなくても十分な消臭効果が発揮されるが、もちろん香料を併用することは妨げられない。
【００３０】
本実施形態のペット用トイレシート１においては、前記の中央域と外周域との間に明確な境界が存在することは要しない。例えば中央域から外周域に向けて消臭剤の坪量が漸増していてもよい。この場合、中央域における消臭剤の坪量の最も低い位置における当該坪量Ｂ１と、外周域における消臭剤の坪量の最も高い位置における当該坪量Ｂ２との比率であるＢ２／Ｂ１の値は、１．１以上であることが好ましく、１．２以上であることが更に好ましく、１．５以上であることが一層好ましい。また、Ｂ２／Ｂ１の値は、４以下であることが好ましく、３以下であることが更に好ましく、２以下であることが一層好ましい。具体的には、Ｂ２／Ｂ１の値は、１．１以上４以下であることが好ましく、１．２以上３以下であることが更に好ましく、１．５以上２以下であることが一層好ましい。
【００３１】
本実施形態のペット用トイレシート１においては、中央域と外周域との間に消臭剤の坪量がステップ状に変化する位置が存在してもよい。その場合には、その位置が中央域と外周域との境界となる。この場合、中央域における消臭剤の坪量Ｂ１と、外周域における消臭剤の坪量Ｂ２との比率であるＢ２／Ｂ１の値は、上述の範囲に設定することが好ましい。
【００３２】
上述したとおり、本実施形態のペット用トイレシート１は、その中央域よりも外周域の方が消臭成分の坪量が高くなっているところ、外周域は、トイレシート１の周縁を含むことは要しない。例えば、ペット用トイレシート１における吸収体４の中央域よりも、該吸収体４の外周域における消臭成分の坪量が高く、且つ該外周域よりも周縁接合部５の方が消臭剤の坪量が低くなっている形態は、本発明に包含される。
【００３３】
また、消臭成分の坪量が相対的に高い外周域は、消臭成分の坪量が相対的に低い中央域を囲んでいることは要しない。例えば、ペット用トイレシート１を平面視したときに、幅方向Ｙの中央域を挟むように、長手方向Ｘに延びる両側部域を考えた場合、該両側部域における消臭成分の坪量を、中央域における消臭成分の坪量よりも相対的に高くした形態は、本発明に包含される。
【００３４】
本実施形態のペット用トイレシート１においては、上述のとおり、吸収性コア６を被覆する第１及び第２被覆シート７，８に消臭成分が含有されているので、これら第１及び第２被覆シート７，８を利用して、トイレシート１の中央域よりも外周域における消臭成分の坪量を高くすることが有利である。例えば図２に示すとおり、トイレシート１における表面シート２と吸収性コア６との間には、第１被覆シート７が位置しているとともに、第２被覆シート８の折り返し被覆部８ａが位置している。したがって、図１及び図２に示すとおり、幅方向Ｙの中央域Ｃには第１被覆シート７の１枚の被覆シートのみが位置しており、中央域Ｃの幅方向外方に位置する側部域Ｓ，Ｓには第１被覆シート７及び第２被覆シート８の折り返し被覆部８ａの２枚の被覆シートが位置している。一方、トイレシート１における裏面シート３と吸収性コア６との間には、第２被覆シート８のみが位置している。したがって、第１及び第２被覆シート７，８に含有されている消臭剤の坪量の高低にかかわらず、表面シート２と吸収性コア６との間において、中央域Ｃにおける消臭剤の坪量よりも、側部域Ｓにおける消臭剤の坪量の方が高くなっている。同様に、ペット用トイレシート１の厚み方向全域に着目して消臭成分の坪量を考えた場合にも、中央域Ｃにおける消臭剤の坪量よりも、側部域Ｓにおける消臭剤の坪量の方が高くなっている。
【００３５】
ペット用トイレシート１の消臭効果を一層顕著なものとする観点から、吸収性コアは、裏面シート３との対向面側にパルプのみからなる下層を備えるとともに、表面シート２との対向面側に吸水性樹脂を含む上層を備える、少なくとも２層構造のものであることが好ましい。この場合、表面シート２との対向面側に位置する上層は、吸水性樹脂のみを含んでいてもよく、あるいは吸水性樹脂に加えて他の吸水性材料、例えばパルプを含んでいてもよい。このような層構造の吸収性コア６を用いることで、ペット用トイレシート１の端部にペットが尿等を排泄した場合、これを吸収性コア６の平面方向の全域に行き渡るように拡散させることが容易となる。その結果、ペット用トイレシート１が長期間にわたり消臭効果を発現しやすくなる。
【００３６】
前記と同様の観点から、吸収性コアは、裏面シート３との対向面側にパルプのみからなる下層を備えるとともに、前記表面シートとの対向面側にもパルプのみからなる上層を備え、更にこれら２つのパルプのみからなる上下層の間に吸水性樹脂を含む中間層を備える、少なくとも３層構造のものであることも好ましい。この場合、上下層間に位置する中間層は、吸水性樹脂のみを含んでいてもよく、あるいは吸水性樹脂に加えて他の吸水性材料、例えばパルプを含んでいてもよい。このような層構造の吸収性コア６を用いることでも、ペット用トイレシート１の端部にペットが尿等を排泄した場合、これを吸収性コア６の平面方向の全域に行き渡るように拡散させることが容易となる。その結果、ペット用トイレシート１が長期間にわたり消臭効果を発現しやすくなる。
【００３７】
吸収性コアが上述した種々の形態のうちのいずれの形態であっても、該吸収性コアが吸水性樹脂を含む場合には、該吸水性樹脂としてＪＩＳ  Ｋ７２２４に規定されるボルテックス法に従い測定された吸収速度（以下「ボルテックス吸収速度」とも言う。）が４０秒以上であるものを用いることが好ましい。ボルテックス吸収速度は、吸水性樹脂の吸液速度の尺度となるものであり、この値が大きいほど吸液速度が遅いことを意味する。ボルテックス吸収速度が４０秒以上である吸水性樹脂は、一般に、吸液速度が遅いクラスに分類されるものであるところ、そのような吸液速度を有する吸水性樹脂を用いることで、ペット用トイレシート１の端部にペットが尿等を排泄した場合、これが吸水性樹脂に吸収される前に吸収性コア６の平面方向の全域に行き渡るように拡散させることが容易となる。その結果、吸収性コア６の中央域においても吸液が生じるとともに、消臭効果が発現する。それによって、ペット用トイレシート１が長期間にわたり消臭効果を発現しやすくなる。この有利な効果を一層顕著なものとする観点から、吸水性樹脂のボルテックス吸収速度は、４２秒以上であることが更に好ましく、４５秒以上であることが一層好ましい。また、ボルテックス吸収速度値は９０秒以下であることが好ましく、７０秒以下であることが更に好ましく、６０秒以下であることが一層好ましい。
【００３８】
図３には本発明のペット用トイレシートの別の実施形態が示されている。同図に示す実施形態のペット用トイレシート１は、吸収体４の構造が図２に示す実施形態と相違している。詳細には、図３に示すペット用トイレシート１の吸収体４は、吸収性コア６と、これを被覆する３種類の被覆シート７，８，９とから構成されている。吸収性コア６は、その上下面及び側面の全域が第３被覆シート９によって被覆されている。また、吸収性コア６は、その上面の全域が第１被覆シート７によって被覆されている。更に吸収性コア６は、その下面の全域が第２被覆シート８によって被覆されている。第２被覆シート８は、吸収性コア６の側縁を超えて側方に延出している。その延出した部位は、吸収性コア６の上面側に折り返されて折り返し被覆部８ａを形成している。折り返し被覆部８ａは、第１被覆シート７と第３被覆シート９との間に位置して、吸収性コア６の上面における両側部域を被覆している。
【００３９】
３種類の被覆シート７，８，９は、互いに同種のものであってもよく、あるいは異種のものであってもよい。また、３種類の被覆シート７，８，９に含有される消臭成分は、互いに同種のものであってもよく、あるいは異種のものであってもよい。更に、３種類の被覆シート７，８，９に含有される消臭成分の坪量は、互いに同じであってもよく、あるいは異なっていてもよい。
【００４０】
３種類の被覆シート７，８，９が上述の態様で吸収性コアを被覆していることによって、図３に示すとおり、表面シート２と吸収性コア６との間には、幅方向Ｙの中央域Ｃには第１被覆シート７及び第３被覆シート９の２枚の被覆シートが位置しており、中央域Ｃの幅方向外方に位置する側部域Ｓ，Ｓには第１被覆シート７、第２被覆シート８の折り返し被覆部８ａ及び第３被覆シート９の３枚の被覆シートが位置している。一方、トイレシート１における裏面シート３と吸収性コア６との間には、第２被覆シート８及び第３被覆シート９の２枚の被覆シートが位置している。したがって、第１及び第２被覆シート７，８に含有されている消臭剤の坪量の高低にかかわらず、表面シート２と吸収性コア６との間において、中央域Ｃにおける消臭剤の坪量よりも、側部域Ｓにおける消臭剤の坪量の方が高くなっている。同様に、ペット用トイレシート１の厚み方向全域に着目して消臭成分の坪量を考えた場合にも、中央域Ｃにおける消臭剤の坪量よりも、側部域Ｓにおける消臭剤の坪量の方が高くなっている。本実施形態によれば、図２に示す実施形態と同様の効果が奏される。また、吸収性コア６部を完全に覆う被覆シート９に吸着剤成分を他の被覆シートよりも多く存在させれば、吸収した尿から発生するにおい成分の揮散を効率よくトイレシート内に閉じ込めることができるため、より長期間に亘り消臭効果を発現しやすくなる。
【００４１】
以上の各実施形態のペット用トイレシート１は、例えばこれを浅底のトレー内に配置して用いることができる。あるいは、図４に示すようなペット用トイレ１００に収容されて使用される。このペット用トイレ１００は、トイレ本体１０２、及びトイレ本体１０２内を上層部分と下層部分とに区画する仕切部材１０３を備える。
【００４２】
ペット用トイレ１００は、上部開口を有する外容器１０４と、外容器１０４内に着脱自在に装着される内容器１０５とを備えている。内容器１０５の底部１５１ｃは、液通過構造を有する仕切部材１０３を含んで構成されている。すなわち、仕切部材１０３は内容器１０５の一部である。仕切部材１０３は、平面視してＸ方向に長い略矩形形状の板状部材からなり、該仕切部材１０３を厚み方向に貫通する、平面視して略矩形形状の貫通孔１３１を多数有している。多数の貫通孔１３１は、仕切部材１０３のＸ方向及びＹ方向それぞれに所定間隔を置いて配置されている。貫通孔１３１は、上層部分の液を下層部分に通過させるための通液孔として機能する。
【００４３】
ペット用トイレ１００は、外容器１０４の上方から内容器１０５をはめ込んだ状態において、内容器１０５の底部１５１ｃを構成する仕切部材１０３と外容器１０４の底部１４１ｃとの間の下層部分に、ペット用トイレシート１の収容空間が形成されるよう構成されている。収容空間には、ペット用トイレシート１が配置される。
【００４４】
ペット用トイレ１００は収容部１０６も備えている。収容部１０６はトレー状のものである。収容部１０６の側壁部１６１ａ，１６１ｂ及び底部１６１ｃによって囲まれた内側が、ペット用トイレシート１の収容部となる。収容部１０６の側壁部１６１ａ，１６１ｂは、その高さが収容部１０６に収容されるペット用トイレシート１の厚みを超え且つその上端が仕切部材１０３に接触しないように形成されている。
【００４５】
収容部１０６は、外容器１０４の底部１４１ｃの上面に載置される。収容部１０６は、トイレ本体１０２から引き出し可能に形成されている。外容器１０４のＹ方向に沿って延びる、相対向する一対の側壁部１４１ｂ，１４１ｂのうちの一方には、下層部分に相当する部分に、収容部１０６を出し入れする際に利用する開口部１４２が形成されている。開口部１４２の形状及び大きさは、収容部１０６の引き出し方向Ｘと直交する方向の断面形状及び大きさと略同じになされており、開口部１４２から収容部１０６を引き出し及び挿入することができるように形成されている。
【００４６】
上層部分である内容器１０５には例えば粒状物（図示せず）が収容される。粒状物としては、当該技術分野において猫砂やトイレ砂等として用いられている粒状物を特に制限なく用いることができる。粒状物としては、好ましくは、植物由来の素材の粉砕物、合成樹脂及び粘土鉱物等の成分の１種以上を含んで構成された成形物が挙げられる。粒状物として、本出願人の先の出願に係る特開２００６−２０４２４９号公報に記載の排泄物処理剤を用いることもできる。
【００４７】
以上、本発明をその好ましい実施形態に基づき説明したが、本発明は前記実施形態に制限されない。例えば前記実施形態のペット用トイレシート１では、吸収性コア６の上下面それぞれに液透過性の被覆シート７，８が配置されて吸収体４が形成されていたが、これに代えて、被覆シートを吸収性コア６と表面シート２との間のみに配置してもよい。
【００４８】
また前記実施形態のペット用トイレシート１では、消臭成分を被覆シート７，８にのみ含有させたが、これに加えて被覆シート７，８以外の部材に含有させてもよい。例えば表面シート２に消臭成分を含有させてもよい。
【実施例】
【００４９】
以下、実施例により本発明を更に詳細に説明する。しかしながら本発明の範囲は、かかる実施例に制限されない。特に断らない限り、「％」は「質量％」を意味する。
【００５０】
〔実施例１〕
消臭成分として以下の表１に示す殺菌剤、吸着剤及び中和剤の混合物を用いた。この混合物を、液透過性の被覆シートとしての台紙（坪量１６ｇ／ｍ２）に塗布して含浸させた。被覆シートにおける各消臭成分の坪量は表１に示すとおりであった。この被覆シートを用いて図１及び図２に示す構造のペット用トイレシートを製造した。表面シートとしては、親水化処理を施したスパンボンド不織布（坪量２０ｇ／ｍ２）を用いた。裏面シートとしては、ポリエチレンシート（坪量２０ｇ／ｍ２）を用いた。吸収体としては、パルプからなる上層と、ポリアクリル酸ナトリウムの架橋体の吸水性樹脂（ボルテックス吸収速度＝４９秒）からなる中間層と、パルプからなる上層との３層構造体を用いた。上層の坪量は坪量２５ｇ／ｍ２であり、中間層の坪量は坪量１１７ｇ／ｍ２であり、下層の坪量は坪量２００ｇ／ｍ２であった。吸収体の寸法は縦４００ｍｍであり、横３５０ｍｍであった。第２被覆シート８の折り返し被覆部８ａの幅は３０ｍｍであった。このペット用トイレシートにおいては、表面シートと吸収性コアとの間における、幅方向中央域の被覆シートの枚数は１枚であり、側部域の被覆シートの枚数は１枚である。
【００５１】
〔実施例２〕
吸収体として図３に示す構造のものを製造した。それ以外は実施例１と同様にしてペット用トイレシートを製造した。このペット用トイレシートにおいては、表面シートと吸収性コアとの間における、幅方向中央域の被覆シートの枚数は２枚であり、側部域の被覆シートの枚数は３枚である。
【００５２】
〔実施例３〕
実施例１において、被覆シートの配置の仕方を変えて、表面シートと吸収性コアとの間における、幅方向中央域の被覆シートの枚数は２枚とし、外周域の被覆シートの枚数を４枚とした。それ以外は実施例１と同様にしてペット用トイレシートを製造した。
【００５３】
〔実施例４ないし６〕
消臭剤として以下の表１に示す剤の混合物を用いた。それ以外は実施例１と同様にしてペット用トイレシートを製造した。
【００５４】
〔比較例１〕
実施例１において、第２被覆シートを配置せず、第１被覆シートのみ用いた。それ以外は実施例１と同様にしてペット用トイレシートを製造した。
【００５５】
〔比較例２〕
実施例１において、第１及び第２被覆シートのいずれも配置しなかった。それ以外は実施例１と同様にしてペット用トイレシートを製造した。
【００５６】
【表１】
2018099046.tif 000003
【００５７】
〔評価〕
実施例及び比較例で得られたペット用トイレシートについて、初期の消臭効果及び１週間後の消臭効果を以下の方法で評価した。その結果を以下の表２に示す。
【００５８】
〔消臭効果の評価〕
評価に用いた尿は、健常未去勢オスネコ（４歳〜１５歳）１０頭分を混合した新鮮凍結尿を用いた。ペット用トイレシートを縦横それぞれ半分に分割した４つの区域のうち、１つの区域について以下のようにして評価を行った。このペット用トイレシートに尿８０ｍｌ（１日の尿相当量）を毎日、辺縁部に尿が触れるようにして、1週間続けて添加した。尿臭評価は初期尿臭においては１回目の尿添加から３０分後に行い、１週間後評価は、６日目の尿添加２４時間後に尿臭の評価を行った。評価は２５℃の環境下の広さ１６０ｍ２の室内においてトイレシートを開放した状態で行い、パネラー５人によって以下の判断基準で行った。
◎：５人中５人が、尿臭は気にならないと評価
○：５人中３〜４人が、尿臭は気にならないと評価
△：５人中２〜３人が、尿臭が気になると評価
×：５人中４人以上が、尿臭が気になると評価
【００５９】
【表２】
2018099046.tif 000004
【００６０】
表２に示す結果から明らかなとおり、各実施例で得られたペット用トイレシートは、比較例で得られたペット用トイレシートに比べて、初期の消臭効果に優れていることが判る。特に、実施例１ないし３と実施例４ないし６との対比から明らかなとおり、消臭成分として殺菌剤、吸着剤及び中和剤の３種の組み合わせを用いた実施例１ないし３は、その組み合わせを用いていない実施例４ないし６に比較して１週間後の消臭効果にも優れていることが判る。
【符号の説明】
【００６１】
１  ペット用トイレシート
２  表面シート
３  裏面シート
４  吸収体
５  周縁接合部
６  吸収性コア
７  第１被覆シート
８  第２被覆シート
【図１】
2018099046.tif 000005
【図２】
2018099046.tif 000006
【図３】
2018099046.tif 000007
【図４】
2018099046.tif 000008